(57)【要約】【課題】部屋の入退室を自動管理して部屋の中で提供される役務の対価の収受が可能で、かつ物品の持ち出しを規制できる入退室管理装置を提供する。【解決手段】人の入出が規制された部屋に、出入り口と、出入り規制手段と、施錠および開錠する装置と、入室時刻を記録し、かつ退室時刻を入力する装置と、入室時刻および退室時刻とから料金を計算する装置と、計算された料金を収受する装置と、物品の接近を検出するための被検出手段と、被検出手段が近くにあることを検出する装置とを備え、部屋内の物品に被検出手段が付着されていて、人が入室するときの時刻を記録して出入り口を開錠し、入室したのちに出入り口を施錠する工程と、人が退室するときの時刻を入力して入室時刻と退室時刻とから料金を計算し、料金を収受して出入り口を開錠し、退室したのちに出入り口を施錠する工程と、出入り口の近くで被検出手段を検出した場合は、退室を規制する工程とを有する。【選択図】図１
0003104857.tif 000002
【実用新案登録請求の範囲】
【請求項１】
人の入出が規制された部屋に、出入り口と、出入り規制手段と、出入り規制手段を施錠および開錠する装置と、現在時刻を信号として出力する時計と、入室時刻を記録し、かつ退室時刻を入力する装置と、入室時刻および退室時刻とから料金を計算する装置と、該計算された料金を収受する装置と、物品の接近を検出するための被検出手段と、該被検出手段が付着された物品が近くにあることを検出する装置とを備え、
前記部屋内の物品に前記被検出手段が付着されていて、
人が入室するときにその時刻を記録して、前記出入り口を開錠し、入室したのちに前記出入り口を施錠する工程と、
人が退室するときにその時刻を入力して、前記入室時刻と該退室時刻とから料金を計算し、該料金を収受して、前記出入り口を開錠し、退室したのちに前記出入り口を施錠する工程と、
前記出入り口の近くに前記被検出手段が付着された物品が存在することを検出した場合は、退室を規制する工程と
を有する入退室管理装置。
【請求項２】
前記退室規制が前記退室時刻を入力しないことである請求項１記載の入退室管理装置。
【請求項３】
前記退室規制が前記料金計算をしないことである請求項１記載の入退室管理装置。
【請求項４】
前記退室規制が前記料金収受しないことである請求項１記載の入退室管理装置。
【請求項５】
前記退室規制が前記出入り口を開錠しないことである請求項１記載の入退室管理装置。
【請求項６】
人の入出が規制された部屋に、互いに分離され逆方向の通行が規制された入り口および出口と、前記入り口および出口のそれぞれに設けられた通行規制手段と、前記通行規制手段を施錠および開錠する装置と、現在時刻を信号として出力する時計と、入室時刻を記録し、かつ退室時刻を入力する装置と、入室時刻および退室時刻とから料金を計算する装置と、該計算された料金を収受する装置と、物品の接近を検出するための被検出手段と、該被検出手段が付着された物品が近くにあることを検出する装置とを備え、
前記部屋内の物品に前記被検出手段が付着されていて、
人が入室するときにその時刻を記録して、前記入り口を開錠し、入室したのちに前記入り口を施錠する工程と、
人が退室するときにその時刻を入力して、前記入室時刻と該退室時刻とから料金を計算し、該料金を収受して、前記出口を開錠し、退室したのちに前記出口を施錠する工程と、
前記出口の近くに前記被検出手段が付着された物品が存在することを検出した場合は、退室を規制する工程と
を有する入退室管理装置。
【請求項７】
前記退室規制が前記退室時刻を入力しないことである請求項６記載の入退室管理装置。
【請求項８】
前記退室規制が前記料金計算をしないことである請求項６記載の入退室管理装置。
【請求項９】
前記退室規制が前記料金収受しないことである請求項６記載の入退室管理装置。
【請求項１０】
前記退室規制が前記出口を開錠しないことである請求項６記載の入退室管理装置。
【請求項１１】
前記人の入出が規制された部屋の収容人数と在室人数とを記憶し、前記入室時刻を記録するごとに前記在室人数を加算し、前記退室時刻を入力するごとに前記在室人数を減算し、前記在室人数が前記収容人数に達したときには、入室を禁止する請求項１または６記載の入退室管理装置。
【考案の詳細な説明】
【技術分野】
【０００１】
本考案は入退室を管理して自動的に料金を収受する装置に関する。さらに詳しくは、限られた部屋の中で提供される役務の対価を収受することに連動して、入退室を規制する装置に関する。
【背景技術】
【０００２】
近年、レンタルルームと称する時間貸し部屋の役務（サービス）が普及し、その役務の内容も、単に部屋を貸すだけでなく、部屋に備え付けられた漫画や、旅行に関する書籍やビデオの閲覧などのサービスを付加したものもある。このようなレンタルルームは、一般に大都市のターミナル駅周辺で営業されていることが多く、ビル等の使用料が高いにもかかわらず、料金の収受を含むレンタルルームの入退室の管理、漫画やビデオなどの盗難防止を人手にたよっているのが実情である。
【０００３】
このようなレンタルルームを管理している管理者の省人員化ないしは無人化を図ったものとして、例えば、特許文献１には、時間貸し部屋に備え付けの機器が、普段使用しているものと同様の環境設定で使うことができる部屋環境システムが開示されている。この部屋環境システムは、予約部屋位置情報と、予約時間情報と、予約者認証情報とを含む予約情報を受信する予約情報受信部と、入室者認証情報と、入室部屋位置情報とを含む入室情報を受信する入室情報受信部と、予約部屋位置情報と入室部屋位置情報、予約者認証情報と入室者認証情報、および予約時間情報と入室情報を受信した時刻のそれぞれを照合した結果に応じて、入室者が同一であるか否かを認証する認証部と、入室者が予約者と同一であると認証した場合には、予約者が時間貸し部屋で用いる一時利用端末の環境設定を、一時利用端末へ送信する指示を出力する送信指示部とを備えている。すなわち、特許文献１に開示された部屋環境システムの場合、利用者が特定されている。
【０００４】
一方、特許文献２には、団地、マンション等の共同住宅の駐車場に備えた車両を共同利用するコンピュータを用いた車両貸し出しシステムが開示されている。特許文献２のシステムは、課金のための磁気カード、ＩＣカード等の情報を読み取るカード読取装置と、車両を利用する予め登録を済ませた会員を識別・認証する会員識別認証手段と、駐車場に備えられた空車両を運転するための車両キーの取り出し・保管が可能な車両キー解放施錠手段と、一連の操作を制御するカーレンタル制御装置とを有している。当該カーレンタル制御装置は、会員識別認証手段により登録会員であることが識別認証されることで車両キー解放施錠手段を作動させ、空車両を運転するための車両キーの取り出しを可能にしている。特許文献２に開示された車両貸し出しシステムにおける駐車場は、利用者の車両を置くスペースを提供するものであり、また、このスペースには持ち出されるものはなく、そのうえ、このスペースへの人の出入りは自由である。
【０００５】
また、特許文献３には、二輪車をロックする施錠装置、または駐車場囲いに採り付けた門のロックを行う施錠装置と、この施錠装置のロック・アンロックを操作すると共に、ユーザに対してＷＷＷ(World Wide Web)ページを提供し、このＷＷＷページ上でユーザに特定の駐車装置または二輪車を選択させ、その選択情報を受け付ける管理サーバと、このＷＷＷページ上に設けた電話呼出タグの記載に基づいて電話を受けて、ユーザからの課金情報の入力を受け付けると共にユーザ認証を行い、認証した場合には前記管理サーバに施錠のロック・アンロックの操作を依頼すると共に課金を実行する課金サーバとからなる二輪車の駐車システムが開示されている。特許文献３に開示された二輪車の駐車システムも駐車場システムと同じ形態であり、駐車場への人の出入りは自由である。
【０００６】
さらに、図７に示されるように、駐車場への入場で駐車開始時刻を記録した駐車券を発行する駐車券発行機５１と、駐車場入口側ゲート５２と、前記駐車券に表示された駐車開始時刻を読み込んで駐車開始時刻と駐車場からの退出にしたがって登録される駐車終了時刻との差に基づいて計算した駐車料金を収受する自動料金精算機５３と、駐車場出口側ゲート５４とを備えた有料駐車場の支払い管理システムも従来知られている。
【０００７】
また、コンパクトディクス（ＣＤ）やビデオの販売店等（以下、ＣＤの販売店等という）では、店内に陳列されたＣＤやビデオ等の商品の盗難防止のために磁気タグを設けられているが、陳列商品は基本的に人によって監視されている。このようなＣＤの販売店等では、店内の入場に際し、貴重品のみの携帯を許し、バッグは店に預けるように利用者に義務づけているものもあるが、入退場は自由（無料）であり、店内の利用者の動向と陳列品は人によって監視されている。
【０００８】
【特許文献１】特開２００２−２６００９２号公報
【特許文献２】特開２００２−２８８７８４号公報
【特許文献３】特開２００２−１０９５８７号公報
【考案の開示】
【考案が解決しようとする課題】
【０００９】
しかし、特許文献１に開示された部屋環境システムの場合、利用者が使っているＯＳ、アプリケーションソフトウェア、通信環境などの環境設定を利用者が借りる部屋において行うことや、予約者認証情報として指紋、虹彩、網膜、筆跡、声紋、ＤＮＡといった生物学的な情報や、磁気カード、ＩＣカード、暗証番号、秘密キーが例示されていることから、ホテルや短期契約型のマンションにおける予め登録された顧客や固定客のために環境設定や、予約管理を行うものであり、特定の利用者を対象にしている。したがって、不特定多数の客を対象にした入退室管理や備品の盗難防止についての開示はない。
【００１０】
また、特許文献２のシステムは、団地、マンション等の共同住宅の住民といった特定の利用者を対象としているものであり、そのうえ代金の決済をクレジットカードによることを前提としている。したがって、不特定多数の客を対象にした入退場管理についての開示はない。
【００１１】
また、特許文献３のシステムの場合、利用者が携帯電話をもっていることと、クレジットカードを所有していることを前提としている。したがって、携帯電話またはクレジットカードを所有していない不特定多数の客を対象にした入退室管理や備品の盗難防止についての開示はない。
【００１２】
本考案は、入退室を自動管理して部屋の中で提供される役務の対価の収受が可能で、かつ物品の持ち出しを規制できる入退室管理装置を提供することを目的とする。
【課題を解決するための手段】
【００１３】
本考案の一態様にかかわる入退室管理装置は、人の入出が規制された部屋に、出入り口と、出入り規制手段と、出入り規制手段を施錠および開錠する装置と、現在時刻を信号として出力する時計と、入室時刻を記録し、かつ退室時刻を入力する装置と、入室時刻および退室時刻とから料金を計算する装置と、該計算された料金を収受する装置と、物品の接近を検出するための被検出手段と、該被検出手段が付着された物品が近くにあることを検出する装置とを備え、
前記部屋内の物品に前記被検出手段が付着されていて、
人が入室するときにその時刻を記録して、前記出入り口を開錠し、入室したのちに前記出入り口を施錠する工程と、
人が退室するときにその時刻を入力して、前記入室時刻と該退室時刻とから料金を計算し、該料金を収受して、前記出入り口を開錠し、退室したのちに前記出入り口を施錠する工程と、
前記出入り口の近くに前記被検出手段が付着された物品が存在することを検出した場合は、退室を規制する工程と
を有することを特徴としている。
【００１４】
また、前記退室規制が前記退室時刻を入力しないことによるものであってもよい。
【００１５】
また、前記退室規制が前記料金計算をしないことによるものであってもよい。
【００１６】
また、前記退室規制が前記料金収受しないことによるものであってもよい。
【００１７】
また、前記退室規制が前記出入り口を開錠しないことによるものであってもよい。
【００１８】
本考案の他の態様にかかわる入退室管理装置は、人の入出が規制された部屋に、互いに分離され逆方向の通行が規制された入り口および出口と、前記入り口および出口のそれぞれに設けられた通行規制手段と、前記通行規制手段を施錠および開錠する装置と、現在時刻を信号として出力する時計と、入室時刻を記録し、かつ退室時刻を入力する装置と、入室時刻および退室時刻とから料金を計算する装置と、該計算された料金を収受する装置と、物品の接近を検出するための被検出手段と、該被検出手段が付着された物品が近くにあることを検出する装置とを備え、
前記部屋内の物品に前記被検出手段が付着されていて、
人が入室するときにその時刻を記録して、前記入り口を開錠し、入室したのちに前記入り口を施錠する工程と、
人が退室するときにその時刻を入力して、前記入室時刻と該退室時刻とから料金を計算し、該料金を収受して、前記出口を開錠し、退室したのちに前記出口を施錠する工程と、
前記出口の近くに前記被検出手段が付着された物品が存在することを検出した場合は、退室を規制する工程と
を有することを特徴としている。
【００１９】
また、前記退室規制が前記退室時刻を入力しないことであってもよい。
【００２０】
また、前記退室規制が前記料金計算をしないことであってもよい。
【００２１】
また、前記退室規制が前記料金収受しないことであってもよい。
【００２２】
また、前記退室規制が前記出口を開錠しないことであってもよい。
【００２３】
さらに、前記人の入出が規制された部屋の収容人数と在室人数とを記憶し、前記入室時刻を記録するごとに前記在室人数を加算し、前記退室時刻を入力するごとに前記在室人数を減算し、前記在室人数が前記収容人数に達したときには、入室を禁止することを特徴とする。
【考案の効果】
【００２４】
本考案の入退室管理装置によれば、無人で自動管理、料金収受が可能で、かつ物品の持ち出しを規制できる。
【考案を実施するための最良の形態】
【００２５】
実施の形態１
添付図面を参照しながら本考案の入退室管理装置について以下に詳細に説明する。
【００２６】
図１は、本考案の入退室管理装置が設置された時間貸し部屋（以下、単にレンタルルームという）の一例を示す説明図、図２は図１の要部説明図、図３は本考案の入退室管理装置に適用される入室券の一例を示す説明図、図４は本考案の入退室管理装置に適用されるタグの一例を示す説明図、図５は本考案の入退室管理装置の概要を示すブロックダイアグラムである。
【００２７】
本実施の形態の管理装置２０は、レンタルルーム１に、出入り口５と、出入り規制手段として機能するドア６ａおよびゲート６ｂと、ドア６ａを施錠および開錠する装置７ａと、ゲート６ｂを施錠および開錠する装置７ｂと、現在時刻を信号として出力する時計８と、入室券発券機９と、料金精算機１０と、漫画などの物品の接近を検出するための被検出手段として機能するタグ（たとえば、磁気タグ）１１と、タグ１１が付着された漫画などの物品が近くにあることを検出する装置（たとえば、磁電変換素子を備えたタグ検知装置）１２とから構成されている（図５参照）。本実施の形態においては、入室券発券機９が、入室時刻を記録する装置として機能し、料金精算機１０が、退室時刻を入力する装置、入室時刻および退室時刻とから料金を計算する装置、および計算された料金を収受する装置として機能する。
【００２８】
料金精算機１０は、さらに、前述のドア６ａを施錠および開錠する装置７ａと、ゲート６ｂを施錠および開錠する装置７ｂと、現在時刻を信号として出力する時計８を制御すると共に料金計算を実行する演算装置３１と、メモリ３２と、入室券読取装置３３と、料金を表示するための表示装置３４と、利用者に投入された紙幣および／または硬貨を仕分けし、支払われた金額を算出する料金収受装置３５と、支払われた金額が表示装置３４に表示された金額と一致した場合はドア６ａを開錠し、不足している場合は不足していることを不足金額とともに表示装置３４に表示し、支払われた金額が表示装置３４に表示された金額と一致するまでドア６ａを開錠しないように制御する入出力装置３６と、利用者に支払われた金額が表示装置３１に表示された金額より多い場合に釣り銭を支払う釣り銭支払い装置３７とから構成されている。
【００２９】
入退室管理装置２０は、たとえばその演算装置に、レンタルルーム１の収容人数と在室人数を記憶している。
【００３０】
つぎに、図１〜３を参照しながら本実施の形態の入退室管理装置の動作について説明する。
【００３１】
（Ｉ）入室時の動作
工程（ａ）：  利用者はまずドア６ａを開けて、発券・精算エリアＡに進入し、ゲート６ｂの手前に設置されている入室発券機９をガイダンスどおりに操作して発券された入室券１３（図３参照）を受け取る。図３を参照すると、入室券１３には、入室時刻１３ｂが印字されると同時に、たとえば当該入室券にコーティングされた磁性体１３ａに磁気で入室時刻が機械で読み取り可能な形式で記録される。入室時刻をパンチ穴位置で識別するようにしてもよい。また、入室券１３には識別コードのみ記録し、入室時刻を対応させて、記憶装置に記憶してもよい。なお、入室券１３が発券された時刻が、利用者の入室時刻として記録される。
また同時に、在室人数に１を加算する。在室人数が収容人数に達したときは、入り口に「満室」または「利用可能人数」が０人であること（いずれも図示せず）を表示し、入室券を発行しない。
【００３２】
工程（ｂ）：  入室券１３が発券されると、ゲート６ｂが開錠されたのち、利用者はゲート６ｂを開放して、レンタルルーム１（図１参照）内に入り、レンタルルーム１に設置された書架２から自分の好みの漫画を選択して閲覧台３にて、適宜、椅子４に腰を掛けて閲覧する。なお、ゲート６ｂが開放されると同時にドア６ａが閉鎖され、利用者がゲート６ｂを通過すると、ゲート６ｂも閉鎖され、施錠される。
【００３３】
工程（ｃ）：  ゲート６ｂが施錠されると、ドア６ａが開錠されるので、つぎの利用者が前記ａの操作をすることができる。しかし、発券・精算エリアＡに人がいるときは、レンタルルーム１の外からドアを開放することはできない。
【００３４】
（II）退室時の動作
工程（ｄ）：  タグ検知装置１２がタグ１１が付着された漫画などの物品が近くにあることを検出しないときは、利用者はゲート６ｂを開放することができる。
【００３５】
工程（ｅ）：  ゲート６ｂが開放されると、ドア６ｂが施錠される。
【００３６】
工程（ｆ）：  料金精算機１０に発券機１３を挿入して料金の精算を行う。なお、料金は、単純に時間×単位料金によって算出されるが、単位料金は、昼間は高く設定し、夜間、深夜は安く設定するなど、時間帯によって単位料金に差を設けるようにすることもできる。また、一定時間以下は料金を０としたり、利用者が目的とする本がなかったときなど、客観的にみて、サービスの提供が充分なされていないときには、たとえば１０分程度の使用時間としたり、最初の1時間は高く設定し、のちの単位料金を安く設定することもできる。
【００３７】
工程（ｇ）：  前記工程（ｆ）において、支払われた金額が料金精算機１０の表示装置３４（図５（ｂ））に表示された金額と一致すると、ドア６ａが開錠される。
【００３８】
同時に、在室人数から１を減算する。「満室」が表示されていたときは、「満室」表示を解除し、または「利用可能人数」に１を加算して表示し、入室券発行（すなわち新たな入室）を許可する。
【００３９】
工程（ｈ）：  利用者は、ドア６ａを開放してレンタルルーム１から退室する。
【００４０】
なお、前記工程（ｄ）において、タグ１１が付着された漫画などの物品が近くにあることが検出されると、ゲート６ｂが施錠されるか、または料金の精算が不可となる。また、料金精算の前であると、発券・精算エリアＡからレンタルルーム１内に戻ることができる。
【００４１】
本実施の形態においては、退室規制は、ドア６ａを開錠しないことにより実現しているが、これに代えて、料金精算機１０が、退室時刻を入力しないようにすること、料金を計算しないようにすること、または料金の収受を行わないようにすることによって実現することもできる。
【００４２】
また、レンタルルーム１の防火上の安全対策として、退室規制をビルの火災検知器と連動させて、火災が検知されたときは、ドア６ａおよびゲート６ｂを開錠させるようにする。
【００４３】
実施の形態２
図６は、本考案のレンタルルーム１の入り口と出口を分離した場合の、一方向にしか回転できない扉６ｃの一例を示す説明図である。図６に示された扉６ｃは、入口または出口５にたとえば、ラチェット爪などにより一方向にのみ回転可能に支持された回転軸１４に沿って長手方向に互いに平行かつ所定の間隔をあけて固定された複数の十字状のブレード１５と、入口または出口５の縦方向の側縁に沿って互いに平行かつ前記十字状のブレード１５の通過を許すように離間して固定された固定ブレード１６とから構成されている。このような扉６ｃをレンタルルーム１の入口と出口とに設置していることを特徴としている。
【００４４】
本実施の形態の入退室管理装置の動作はつぎのとおりである。
（Ｉ）入室時の動作
工程（ａ）：  利用者はまず入口側の扉６ｃから進入し、入室発券機９をガイダンスどおりに操作して発券された入室券１３（図３参照）を受け取る。なお、入室券１３が発券された時刻が、利用者の入室時刻として記録される。入口の外に入室発券機９を設けてもよいが、この場合、入室券１３を発行すると、入口側の扉６ｃが開く。
また同時に、在室人数に１を加算する。在室人数が収容人数に達したときは、入り口に「満室」または「利用可能人数」が０人であること（いずれも図示せず）を表示し、入室券を発行しない。
【００４５】
工程（ｂ）：  入室券１３が発券されると、レンタルルーム１に設置された書架２から自分の好みの漫画を選択して閲覧台３にて、適宜、椅子４に腰を掛けて閲覧する。
【００４６】
（II）退室時の動作
工程（ｃ）：  料金精算機１０に発券機１３を挿入して料金の精算を行う。
【００４７】
工程（ｄ）：  前記工程（ｃ）において、支払われた金額が料金精算機１０の表示装置３４（図５（ｂ））に表示された金額と一致し、タグ検知装置１２がタグ１１が付着された漫画などの物品が近くにあることを検出しないときは、扉６ｃが１／４回転して、１人が入口を通過する間だけ開錠される。
同時に、在室人数から１を減算する。「満室」が表示されていたときは、「満室」表示を解除し、または「利用可能人数」に１を加算して表示し、入室券発行（すなわち新たな入室）を許可する。
【００４８】
工程（ｅ）：  利用者は、扉６ｃを回転させてレンタルルーム１から退室する。
【００４９】
本実施の形態においても、退室規制は、ドア６ａを開錠しないことにより実現しているが、これに代えて、料金精算機１０が、退室時刻を入力しないようにすること、料金を計算しないようにすること、または料金の収受を行わないようにすることによって実現することもできる。
また、レンタルルーム１の防火上の安全対策として、退室規制をビルの火災検知器と連動させて、火災が検知されたときは、出口側の扉６ｃを優先的に回転可能にする。
【００５０】
本実施の形態の場合、出入りが衝突してもそれぞれ独立に処理できる。また、入退室の競合が起こらず、入室が待たされないという利点がある。
【図面の簡単な説明】
【００５１】
【図１】本考案の入退室管理装置が設置された時間貸し部屋の一例を示す説明図である。
【図２】図１の要部説明図である。
【図３】本考案の入退室管理装置に適用される磁気コーティング券の一例を示す説明図である。
【図４】本考案の入退室管理装置に適用されるタグの一例を示す説明図である。
【図５】本考案の入退室管理装置の概要を示すブロックダイアグラムである。
【図６】本考案のレンタルルーム１の入り口と出口を分離した場合の、一方向にしか回転できない扉６ｃの一例を示す説明図である。
【図７】従来の駐車場の入退場システムの例を示す説明図である。
【符号の説明】
【００５２】
１    レンタルルーム
２    書架
３    閲覧台
４    椅子
５    出入り口
６ａ  ドア
６ｂ  ゲート
６ｃ  扉
７ａ  ドアを施錠／開錠する装置
７ｂ  ゲートを施錠／開錠する装置
８    時計
９    入室発券機
１０    料金精算機
１１    タグ
１２    タグ検知装置
１３    入室券
１３ａ  磁性体
１３ｂ  入室時刻
１４    回転軸
１５    十字状のブレード
１６    固定ブレード
２０    管理装置
３１    演算装置
３２    メモリ
３３    入室券読取装置
３４    表示装置
３５    料金収受装置
３６    入出力装置
Ａ    発券・精算エリア
【図１】
0003104857.tif 000003
【図２】
0003104857.tif 000004
【図３】
0003104857.tif 000005
【図４】
0003104857.tif 000006
【図５】
0003104857.tif 000007
【図６】
0003104857.tif 000008
【図７】
0003104857.tif 000009